(57)【要約】【課題】基材の表裏両面に模様が形成される意匠パネルに奥行き感や立体感が得られるようにしつつ、模様の規則性を不明確にして小割りの使用でも違和感をなくし、レイアウトやデザインの設計、施工を容易化する。また、模様の素材感も不明瞭にして施工箇所や用途の限定をなくす。【解決手段】透明ないし半透明の板材からなる基材１の表裏面にそれぞれ設けられる表面及び裏面模様３，４は、大きさ及び種類の異なる複数の多角形模様部１０，１０，…が不規則に分散して隣接するように配置された模様を有するものとし、各多角形模様部１０は内部に色の濃度差が生成されている。基材１を表裏方向から見たときに、表面及び裏面模様３，４の多角形模様部１０，１０は、両多角形模様部１０，１０周縁の各辺１０ａ，１０ａ同士が全体として直線状に重ならないように配置されている。【選択図】図２
2020200687.tif 000002
【特許請求の範囲】
【請求項１】
透明ないし半透明の板材からなる基材の表面に表面模様が、また裏面に裏面模様がそれぞれ設けられており、
上記表面及び裏面模様は、大きさ及び種類の異なる複数の多角形模様部が不規則に分散して隣接するように配置された模様を有し、
上記各多角形模様部は内部で色の濃度差が生成されていることを特徴とする建築用意匠パネル。
【請求項２】
請求項１において、
各多角形模様部は細長状の多角形とされ、
複数の多角形模様部は、各々の長さ方向に沿った長軸線が同じ方向に向くように配向されていることを特徴とする建築用意匠パネル。
【請求項３】
請求項１又は２において、
基材を表裏方向から見たときに、表面及び裏面模様の多角形模様部は、両多角形模様部周縁の各辺同士が直線状に重ならないように配置されていることを特徴とする建築用意匠パネル。
【請求項４】
請求項１〜３のいずれか１つにおいて、
表面及び裏面模様の各々は、基材の所定方向に分割された複数の分割模様からなり、
上記複数の分割模様は、少なくとも２種類の基本模様がそのままの状態及び反転した状態の少なくとも一方の配置状態で基材の所定方向に連続して並べられ、かつ隣接する分割模様間の基本模様の種類及び配置状態の少なくとも一方が互いに異なっていることを特徴とする建築用意匠パネル。
【請求項５】
請求項１〜４のいずれか１つにおいて、
表面及び裏面模様はインクジェット印刷により印刷されていることを特徴とする建築用意匠パネル。
【請求項６】
請求項１〜５のいずれか１つの建築用意匠パネルが採光開口部に取り付けられていることを特徴とするドア。
【発明の詳細な説明】
【技術分野】
【０００１】
本発明は、建築用意匠パネル及びそれを用いたドアに関するものである。
【背景技術】
【０００２】
従来、建築に用いられる意匠パネルとして、例えば特許文献１に示されるように、透光性を有する板状の基材の表裏両面にそれぞれ透かし模様を印刷したものが知られている。このものでは、１枚の布にプリーツ加工によって重ね部分と非重ね部分とを形成して、その布から部分的に重なった重なり部分を有する濃淡のある画像データを取り込み、その画像データを基に同じ布の画像をそれぞれ基材の表裏両面に上下方向ないし左右方向にずらして印刷して透かし模様を形成し、この濃淡を有する布画像の模様が基材の両面にずれて現れることで、パネルに奥行き感や立体感が得られるようにしている。
【先行技術文献】
【特許文献】
【０００３】
【特許文献１】特開２０１６−１３５９４３号公報
【発明の概要】
【発明が解決しようとする課題】
【０００４】
しかし、上記特許文献１のものでは、重ね部分と非重ね部分とによって一定面積の濃淡のある１枚の布の画像を用い、同じ画像を基材に表裏面でずらして印刷しているので、例えば１枚の大型パネルを小割り（分割）し、その一部を取り出して使用する場合、その小割りされた模様が小割り前の大型パネルのどの位置にあったかが容易に識別されてしまうことになる。そのため、その小割り模様の位置を明確に把握してレイアウトする必要があり、位置を誤ると違和感が生じることになり、その分、レイアウトやデザインの設計、施工性に難がある。
【０００５】
また、布の重ね部分と非重ね部分とによって濃淡が生じる画像の模様とはいえ、元々１枚の布を出所としているので、模様には布特有の折り皺や重ね状態等を含む素材感が残存し、施工箇所や用途が限定されるという問題がある。
【０００６】
本発明は斯かる諸点に鑑みてなされたものであり、その目的とするところは、上記のように基材の表裏両面に模様が形成される意匠パネルの構成に技術的な特徴を加えることにより、そのパネルに奥行き感や立体感が得られるようにしつつ、模様の規則性を不明確にして小割りの使用でも違和感をなくし、レイアウトやデザインの設計、施工を容易化するとともに、模様の素材感も不明瞭にして施工箇所や用途の限定をなくすことにある。
【課題を解決するための手段】
【０００７】
上記の目的を達成すべく、この発明では、基材の表裏面に形成される模様として大きさ及び種類の異なる複数の多角形模様部が不規則に分散配置されたものを用い、その各多角形模様部の内部で濃度の差を生じさせるようにした。
【０００８】
具体的には、第１の発明に係る建築用意匠パネルは、透明ないし半透明の板材からなる基材の表面に表面模様が、また裏面に裏面模様がそれぞれ設けられており、表面及び裏面模様は、大きさ及び種類の異なる複数の多角形模様部が不規則に分散して隣接するように配置された模様を有し、上記各多角形模様部は内部で色の濃度差が生成されていることを特徴とする。
【０００９】
この第１の発明では、基材の表裏面にそれぞれ表面及び裏面模様が形成され、これら表面及び裏面模様は、いずれも大きさ及び種類の異なる複数の多角形模様部が不規則に分散して隣接状態で配置された模様を有し、各多角形模様部は、直線からなる複数の辺で囲まれていて内部に色の濃度差（グラデーション）が生成されている。そのため、パネルを例えば表方向から見たときに表面模様の複数の多角形模様部が見えるだけでなく裏面模様の多角形模様部も基材を通して表面模様の多角形模様部と重なって見え、逆に裏方向から見たときにも裏面模様の多角形模様部だけでなく表面模様の多角形模様部も裏面模様の多角形模様部と重なって見えるようになり、表裏どちら側からでも反対側の多角形模様部を視認することができる。その表面及び裏面模様の多角形模様部の見え方のずれによってパネルに奥行き感や立体感が得られる。しかも、表面及び裏面模様のいずれにおいても、各多角形模様部の内部に色の濃度差が生成されているので、その濃度差のある多角形模様部が表面及び裏面模様で重なって、より数の多い多角形模様部が生じて規則性が目立ち難くなり、パネルの奥行き感や立体感がより効果的に得られる。
【００１０】
また、表面及び裏面模様は、いずれも大きさ及び種類の異なる複数の多角形模様部が不規則に分散して配置された模様であり、この複数の多角形模様部による不規則な分散配置模様に目立った特異部分がなく、表面及び裏面模様は同様な調子の模様となる。従って、パネルを小割りによりその一部を取り出して使用する場合、小割りされた模様が小割り前のパネルのどの位置にあったかが不明確になり、その小割りされた模様の位置を把握してレイアウトする必要がなくなり、位置を誤っても違和感が生じることはない。このことで、レイアウトやデザインの設計、施工が容易になる。
【００１１】
さらに、表面及び裏面模様は、いずれも複数の多角形模様部を有するものであるので、布を用いるような素材感等が出ることはなく、パネルの施工箇所や用途が限定されることはない。
【００１２】
第２の発明は、第１の発明において、各多角形模様部は細長状の多角形とされ、複数の多角形模様部は、各々の長さ方向に沿った長軸線が同じ方向（例えば基材の幅方向や長さ方向）に向くように配向されていることを特徴とする。
【００１３】
この第２の発明では、各多角形模様部は細長状の多角形であり、複数の多角形模様部が、各々の長軸線を同じ方向に向けて配向されているので、その各々の長軸線の向きが不特定である場合に乱雑感が生じるのに対し、表面及び裏面模様に整列感や安定感が得られる。
【００１４】
第３の発明は、第１又は第２の発明において、基材を表裏方向から見たときに、表面及び裏面模様の多角形模様部は、それら両多角形模様部周縁の各辺同士が直線状に重ならないように配置されていることを特徴とする。
【００１５】
この第３の発明では、表面及び裏面模様の多角形模様部間で周縁の各辺同士が全体的に直線状に重なっていないので、基材を表裏方向から見たときに、反対側の多角形模様部が明確に視認できるようになり、パネルの奥行き感や立体感がさらに効果的に得られる。
【００１６】
第４の発明は、第１〜第３の発明のいずれか１つにおいて、表面及び裏面模様の各々は、基材の所定方向に分割された複数の分割模様からなり、それら複数の分割模様は、少なくとも２種類の基本模様がそのままの状態及び反転した状態の少なくとも一方の配置状態で基材の所定方向に連続して並べられ、かつ隣接する分割模様間の基本模様の種類及び配置状態の少なくとも一方が互いに異なっていることを特徴とする。
【００１７】
この第４の発明では、表面及び裏面模様の各々における複数の分割模様は、少なくとも２種類の基本模様がそのままの状態及び反転した状態の少なくとも一方の配置状態で基材の所定方向に連続して並べられ、隣接する分割模様間の基本模様の種類及び配置状態の少なくとも一方が互いに異なっているので、表面及び裏面模様の調子はより一層同様なものとなり、パネルの一部を取り出して使用する場合の違和感の発生を抑制でき、レイアウトやデザインの設計、施工もより一層容易になる。
【００１８】
また、表面及び裏面模様の各々における複数の分割模様は、少なくとも２種類の基本模様を、そのままの状態及び反転した状態の少なくとも一方の配置状態で基材に並べられるだけで形成される。このことで、表面及び裏面模様の各々につき少ない種類の基本模様を形成するだけで済み、模様の創作が容易となる。
【００１９】
第５の発明は、第１〜第４の発明のいずれか１つにおいて、表面及び裏面模様はインクジェット印刷により印刷されていることを特徴とする。このことで、基材に上記表面及び裏面模様を容易に形成することができる。
【００２０】
第６の発明はドアに係り、このドアは第１〜第５の発明のいずれか１つの建築用意匠パネルが採光開口部に取り付けられていることを特徴とする。
【００２１】
この第６の発明では、ドアの採光開口部に取り付けられたパネルが奥行き感や立体感を有し、違和感のないデザインとなるので、デザイン性の高いドアが得られる。
【発明の効果】
【００２２】
以上説明のように、本発明によると、透明ないし半透明の基材の表裏面に、大きさ及び種類が異なり内部の色の濃度差が異なる複数の多角形模様部を不規則に分散配置した模様を形成したことにより、パネルの表裏どちら側からでも反対側の多角形模様部を視認して、パネルの奥行き感や立体感が得られる。また、表裏面模様の多角形模様部に特異部分がないので、表裏模様が同様な調子となり、パネルを小割りして使用する場合でも、小割り模様の位置を明確に把握してレイアウトする必要がなく、位置が異なっても違和感が生じず、レイアウトやデザインの設計、施工の容易化を図ることができる。さらに、表裏模様に素材感等が出ることはなく、パネルの施工箇所や用途を拡げることができる。
【図面の簡単な説明】
【００２３】
【図１】図１は、本発明の実施形態に係る建築用意匠パネルを拡大して概略的に示す水平断面図である。
【図２】図２は、建築用意匠パネルを表側から見た正面図である。
【図３】図３は、建築用意匠パネルを裏側から見た裏面図である。
【図４】図４は、表面模様を基材の表側から裏側に向かう方向に見た状態で示す正面図である。
【図５】図５は、裏面模様を基材の裏側から表側に向かう方向に見た状態で示す裏面図である。
【図６】図６は、分割模様をなす第１基本模様の拡大図である。
【図７】図７は、分割模様をなす第２基本模様の拡大図である。
【図８】図８は、表面及び裏面模様の多角形模様部の一部を拡大して示す図である。
【図９】図９は、建築用意匠パネルが採光開口部に取り付けられたドアの例１を示す正面図である。
【図１０】図１０は、建築用意匠パネルが採光開口部に取り付けられたドアの例２を示す図９相当図である。
【図１１】図１１は、建築用意匠パネルが採光開口部に取り付けられたドアの例３を示す図９相当図である。
【図１２】図１２は、建築用意匠パネルが採光開口部に取り付けられたドアの例４を示す図９相当図である。
【図１３】図１３は、建築用意匠パネルが採光開口部に取り付けられたドアの例５を示す図９相当図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものでは全くない。
【００２５】
図１〜図３は本発明の実施形態に係る建築用意匠パネルＰを示す。このパネルＰは製造時に形成される最大の大きさのフルサイズのもので、例えば必要に応じて小割り（分割）して用いられる。建築用意匠パネルＰは、例えば樹脂パネル材やガラス板材等の透明ないし半透明の板材からなる基材１を備え、この基材１は長さ（高さ）が例えば最大で１６００ｍｍ、幅（左右幅）が例えば最大で６００ｍｍ、厚さが例えば２ｍｍ程度とされて、幅及び長さを有する矩形状の細長板材からなっている。上記樹脂パネル材としては、例えばスチレン系樹脂やアクリル系樹脂、ＰＥＴ樹脂等が用いられる。
【００２６】
上記板状の基材１の表面（図１で下面）には表面模様３が、また裏面（同上面）には裏面模様４がそれぞれ設けられている。この表面及び裏面模様３，４は、基材１に対しインクジェット印刷、装飾模様を施した印刷フィルムの貼り付け、サンドブラストやエッチングによる彫り込み等によって形成されている。特に、インクジェット印刷により表面及び裏面模様３，４を形成するのが容易であり、生産性の点で好ましい。尚、図１では、表面及び裏面模様３，４を厚さの厚い層状物として記載しているが、これは説明のために示しているだけで、当該構造を特定するものではない。
【００２７】
図４は上記表面模様３を、また図５は裏面模様４をそれぞれ示している。詳しくは図４は表面模様３を基材１の表側から裏側に向かう方向に見た状態で示し、図５は、裏面模様４を基材１の裏側から表側に向かう方向（表面模様３を見る方向とは逆の方向）に見た状態で示している。
【００２８】
図２〜図５において、その上側を上部とし、下側を下部とする。図４及び図５に示すように、上記表面及び裏面模様３，４は、いずれも僅かな領域の地色部８と、不規則に分散して隣接するように配置された殆どの領域を占める複数の多角形模様部１０，１０，…とを有する。表面及び裏面模様３，４の地色部８は、多角形模様部１０，１０，…の形成されていない部分（模様３，４を印刷する場合は印刷されていない部分）の基材１そのものか、或いは互いに同じ色に着色されたものであり、この地色部８の色（透明を含む）に対し各多角形模様部１０，１０，…の色が異なっている。
【００２９】
図８に拡大して示すように、上記表面及び裏面模様３，４における複数の多角形模様部１０，１０，…の各々は、複数の直線状の辺１０ａ，１０ａ，…で囲まれた例えば三角形、四角形（矩形）、五角形、六角形等の複数の異なる種類の多角形が組み合わされており、多角形の大きさも大小複数の種類に異なっている。また、互いに隣接する多角形模様部１０，１０は辺１０ａ，１０の一部又は全部が共通の辺となっている。
【００３０】
また、複数の多角形模様部１０，１０，…は、いずれも細長状の変形の多角形とされ、各々の長さ方向に沿った長軸線Ｌ（図８で一点鎖線にて示す）が上記基材１の幅方向に向いて左右方向に延びるように配向されている。
【００３１】
そして、上記表面及び裏面模様３，４の各多角形模様部１０は、その辺１０ａ，１０ａ，…で囲まれた内部において色の濃度が変化していて濃度差が生成されている。図では、記載の都合上、各多角形模様部１０の濃度をグレイの濃淡で現しており、灰色の濃い（黒に近い）部分は薄い（白に近い）部分よりも色が薄くなっている。尚、上記地色部８は黒で現されている。
【００３２】
図４に示すように、表面模様３は、基材１の上下方向（長さ方向）に等分に分割された例えば３つの分割模様３ａ〜３ｃからなる。また、図５に示すように、裏面模様４も同様に、上下方向（長さ方向）に等分に分割された例えば３つの分割模様４ａ〜４ｃからなっている。図４及び図５では、分割模様３ａ〜３ｃ，４ａ〜４ｃの境界位置を二点鎖線にて示している。
【００３３】
尚、図４は、表面模様３を基材１１の表側から裏側に向かう方向に見た状態で示しているので、分割模様３ａ〜３ｃは同方向に見て上側から下側に向かって順に並んでいる。一方、図５は、裏面模様４を基材１の裏側から表側に向かう方向に見た状態で示しているので、分割模様４ａ〜４ｃは同方向に見て上側から下側に向かって順に並んでいる。
【００３４】
表面及び裏面模様３，４の３つの分割模様３ａ〜３ｃ，４ａ〜４ｃは、第１及び第２の２種類の基本模様Ａ１，Ａ２がそのままの状態及び反転した状態で基材１の長さ方向に連続して並べられたものとされ、隣接する分割模様３ａ〜３ｃ，４ａ〜４ｃ間の基本模様Ａ１，Ａ２の種類及び配置状態の両方が互いに異なっている。図６は第１基本模様Ａ１を、また図７は第２基本模様Ａ２をそれぞれ拡大して示している。そして、図４に示すように、表面模様３の３つの分割模様３ａ〜３ｃは第１及び第２基本模様Ａ１，Ａ２からなり、上側の分割模様３ａは第１基本模様Ａ１で、また上下中央の分割模様３ｂは第２基本模様Ａ２でそれぞれ構成されている。下側の分割模様３ｃは、第１基本模様Ａ１を上下方向及び左右方向に反転させた模様で構成されている。ここでいう第１基本模様Ａ１を上下方向及び左右方向に反転するとは、第１基本模様Ａ１からなる分割模様３ａの領域の面を左右側部で折り返し、さらに上端部又は下端部で折り返すようにして裏返すことを示す。
【００３５】
一方、図５に示すように、裏面模様４についても同様に上記第１及び第２の２種類の基本模様Ａ１，Ａ２からなり、表面模様３とは異なり、上側の分割模様４ａは第２基本模様Ａ２で、また上下中央の分割模様４ｂは第１基本模様Ａ１でそれぞれ構成されている。下側の分割模様４ｃは、第２基本模様Ａ２を上下方向及び左右方向に反転させた模様で構成されている。
【００３６】
上記表面及び裏面模様３，４の多角形模様部１０，１０，…は、そのパターンをデータ上で作成するようになっており、そのデータに基づいてインクジェット印刷や彫り込み加工等を行う。
【００３７】
そして、図２は上記建築用意匠パネルＰを表側から見た状態を、また図３は同パネルＰを裏側から見た状態をそれぞれ示し（このとき、表面模様３の分割模様３ａ，３ｂ，３ｃがそれぞれ裏面模様４の分割模様４ａ，４ｂ，４ｃに重なる）、基材１を表裏方向から見たときに、表面及び裏面模様３，４の各多角形模様部１０，１０は、該多角形模様部１０，１０周縁の各辺１０ａ，１０ａ，…が交差はしても全体として直線状に重ならないように配置されている。
【００３８】
図９〜図１３は本発明の実施形態に係るドアＤ１〜Ｄ５の例を示し、これらのドアＤ１〜Ｄ５はいずれも採光のための採光開口部１５が形成され、その開口部１５に、上記フルサイズの建築用意匠パネルＰを小割り（分割）した小割りパネルＰ１〜Ｐ５が取り付けられて、その採光開口部１５が閉鎖されている。
【００３９】
図９は例１のドアＤ１を示し、ドアＤ１の左右中央部に全高さに亘って縦長の採光開口部１５が開口され、その開口部１５に建築用意匠パネルＰを左右幅方向に分割した縦長の小割りパネルＰ１が取り付けられている。図９（ａ）及び（ｂ）に示すドアＤ１は互いに同じであるが、同じ縦長の小割りパネルＰ１が上下逆にして取り付けられている。尚、１９はドアレバーハンドルである。
【００４０】
図１０は例２のドアＤ２を示し、ドアＤ２の左右中央部の上側に採光開口部１５が、また下側に鏡板開口部１６がそれぞれ開口され、その採光開口部１５に建築用意匠パネルＰを分割した矩形状の小割りパネルＰ２が取り付けられ、閉鎖開口部１６に鏡板１７が取り付けられている。図１０（ａ）及び（ｂ）に示すドアＤ２は互いに同じで、採光開口部１５に同じ小割りパネルＰ２が上下逆にして取り付けられている。
【００４１】
図１１は例３のドアＤ３を示し、ドアＤ３の左右中央部に縦長の狭い採光開口部１５が開口され、その開口部１５に建築用意匠パネルＰを分割した縦長の小割りパネルＰ３が取り付けられている。図１１（ａ）及び（ｂ）に示すドアＤ３は互いに同じで、同じ小割りパネルＰ３が上下逆にして取り付けられている。
【００４２】
図１２は例４のドアＤ４を示し、ドアＤ４の左右中央部に縦長で広幅の採光開口部１５が開口され、その開口部１５に建築用意匠パネルＰを分割した小割りパネルＰ４が取り付けられている。図１２（ａ）及び（ｂ）に示すドアＤ４は互いに同じで、同じ小割りパネルＰ４が上下逆にして取り付けられている。
【００４３】
図１３は例５のドアＤ５を示し、ドアＤ５の左右中間部の左右両側に縦長の２つの狭い採光開口部１５，１５が間隔をあけて開口され、その各開口部１５に建築用意匠パネルＰを分割した縦長の小割りパネルＰ５が取り付けられている。図１３（ａ）及び（ｂ）に示すドアＤ５は互いに同じで、同じ小割りパネルＰ５，Ｐ５が上下逆にして取り付けられている。
【００４４】
したがって、上記実施形態においては、建築用意匠パネルＰの基材１の表裏面にそれぞれ表面及び裏面模様３，４が形成され、これら表面及び裏面模様３，４は、いずれも地色部８と、不規則に分散して隣接状態で配置され、大きさ及び種類の異なる複数の多角形模様部１０，１０，…とを有し、各多角形模様部１０は、直線からなる複数の辺１０ａ，１０ａ，…で囲まれていて、その内部に色の濃度差（グラデーション）が生成されている。そのため、図２に示すように、パネルＰを表方向から見たときに、表面模様３の複数の多角形模様部１０，１０，…が見えるだけでなく、裏面模様４の多角形模様部１０，１０，…も基材１を通して表面模様３の多角形模様部１０，１０，…と重なって見えるようになる。一方、図３に示すように、逆に裏方向から見たときにも、裏面模様４の多角形模様部１０，１０，…だけでなく、表面模様３の多角形模様部１０，１０，…も裏面模様４の多角形模様部１０，１０，…と重なって見えるようになる。こうしてパネルＰの表裏どちら側からでも反対側の多角形模様部１０，１０，…を視認することができ、その表面及び裏面模様３，４における多角形模様部１０，１０，…の見え方のずれによってパネルＰに奥行き感や立体感が得られる。
【００４５】
また、表面及び裏面模様３，４のいずれにおいても、各多角形模様部１０，１０の内部に色の濃度差が生成されているので、この濃度差のある多角形模様部１０，１０が表面及び裏面模様３，４で重なり、より数の多い多角形模様部１０，１０，…が生じて規則性が目立ち難くなり、このことによってもパネルＰの奥行き感や立体感がより効果的に得られる。
【００４６】
しかも、基材１を表裏方向から見たときに、表面及び裏面模様３，４の多角形模様部１０，１０間で周縁の各辺１０ａ，１０ａ同士は全体として直線状に重なっていないので、基材１を表裏方向から見たときに、反対側の辺１０ａ，１０ａ，…で囲まれた多角形模様部１０が明確に視認できるようになり、パネルＰの奥行き感や立体感がさらに効果的に得られる。
【００４７】
そして、表面及び裏面模様３，４は、いずれも大きさ及び種類の異なる複数の多角形模様部１０，１０，…が不規則に分散して配置された模様であり、この複数の多角形模様部１０，１０，…による不規則な分散配置模様に目立った特異部分はなく、表面及び裏面模様３，４は同様な調子の模様となる。そのため、図９〜図１３に示すように、パネルＰを小割りしてその一部を取り出し、小割りパネルＰ１〜Ｐ５として使用する場合、小割パネルＰ１〜Ｐ５の模様が小割り前のパネルＰのどの位置にあったかを不明確にでき、その小割りパネルＰ１〜Ｐ５の模様の位置を明確に把握してレイアウトする必要がなくなり、位置を誤っても違和感が生じることはない。すなわち、図９〜図１３に示すように、ドアＤ１〜Ｄ５の採光開口部１５に小割りパネルＰ１〜Ｐ５を取り付ける場合に、図９（ａ）〜図１３（ａ）に示すレイアウトと、図９（ｂ）〜図１３（ｂ）に示すレイアウトとは、同じ小割りパネルＰ１〜Ｐ５を上下逆にしたものであるにも拘わらず、両レイアウトは互いに同様の模様が生じていて、両レイアウトの識別性が不明瞭となっており、両レイアウトを逆にしてもドアＤ１〜Ｄ５全体の外観はさほど変わらない。このことから、レイアウトやデザインの設計、施工が容易になる。
【００４８】
また、上記表面及び裏面模様３，４の各々は、上下方向に複数の分割模様３ａ〜３ｃ，４ａ〜４ｃに分割され、その複数の分割模様３ａ〜３ｃ，４ａ〜４ｃは、第１及び第２の２種類の基本模様Ａ１，Ａ２がそのままの状態及び反転して基材１の長さ方向に連続して並べられたものであり、隣接する分割模様３ａ〜３ｃ，４ａ〜４ｃ間の基本模様Ａ１，Ａ２の種類及び配置状態が互いに異なっているので、表面及び裏面模様３，４の調子はより一層同様の調子となり、上記パネルＰを小割りしてその一部を取り出して使用する場合の違和感の発生を抑制でき、レイアウトやデザインの設計、施工もより一層容易になる。
【００４９】
しかも、表面及び裏面模様３，４の各々は、分割模様３ａ〜３ｃ，４ａ〜４ｃとして２種類の基本模様Ａ１，Ａ２が用いられたものであるので、その２種類の基本模様Ａ１，Ａ２をそのまま及び反転させるだけでよいこととなる。このことで、表面及び裏面模様３，４の各々につき２種類の基本模様Ａ１，Ａ２を形成して、その基本模様Ａ１，Ａ２を隣接させるか交互に反転させれば済み、模様の創作が容易となる。
【００５０】
さらに、表面及び裏面模様３，４は、いずれも複数の多角形模様部１０，１０，…を有するものであるので、模様に布の折り皺や重ね状態等を含んだ素材感が出るようなことはなく、パネルＰの施工箇所や用途が限定されることはない。
【００５１】
また、表面及び裏面模様３，４の多角形模様部１０，１０，…は細長状の多角形とされ、複数の多角形模様部１０，１０，…は、各々の長さ方向に沿った長軸線Ｌが基材１の幅方向に向いて左右方向に延びるように配向されている。このことから、その各々の長軸線Ｌの向きが不特定である場合には乱雑感が生じるが、それに比べ、表面及び裏面模様３，４に整列感や安定感が得られる。
【００５２】
そして、表面及び裏面模様３，４は基材１にインクジェット印刷により印刷されていることで、基材１に表面及び裏面模様３，４を容易に形成することができる。
【００５３】
このような建築用意匠パネルＰを小割りした小割りパネルＰ１〜Ｐ５が採光開口部１５に取り付けられたドアＤ１〜Ｄ５は、その小割りパネルＰ〜Ｐ５によって違和感のないデザインとなり、よってデザイン性の高いドアが得られる。
【００５４】
（その他の実施形態）
尚、上記実施形態では、表面及び裏面模様３，４の複数の多角形模様部１０，１０，…は、いずれも細長状の変形多角形で、その長軸線Ｌが基材１の幅方向（左右方向）に沿って延びるように配向されているが、長軸線Ｌが基材１の長さ方向（上下方向）に沿って延びるように配向してもよく、或いは、長軸線Ｌが基材１の幅方向又は長さ方向とは異なる方向に沿って延びるように配向してもよい。さらに、複数の多角形模様部１０，１０，…の長軸線Ｌの向きをランダムにしてもよいが、模様３，４に整列感や安定感が得られる点では一定方向に向くように配向するのが望ましい。
【００５５】
また、上記実施形態では、多角形模様部１０，１０，…の各種類の多角形は、細長状の変形多角形であったが、長軸線Ｌを設定できない正多角形であってもよく、大きさ及び種類の異なる多角形であればよい。
【００５６】
また、上記実施形態では、表面及び裏面模様３，４の３つの分割模様３ａ〜３ｃ，４ａ〜４ｃは、２種類の基本模様Ａ１，Ａ２がそのままの状態及び反転した状態で基材１の長さ方向に連続して並べられたものとされ、隣接する分割模様３ａ〜３ｃ，４ａ〜４ｃ間の基本模様Ａ１，Ａ２の種類及び配置状態の両方が互いに異なっているが、これに限定されず、３つの分割模様３ａ〜３ｃ，４ａ〜４ｃは、２種類の基本模様Ａ１，Ａ２をそのままの状態又は反転した状態の一方の配置状態で基材１の長さ方向に連続して並べ、隣接する分割模様３ａ〜３ｃ，４ａ〜４ｃ間の基本模様Ａ１，Ａ２の種類及び配置状態の少なくとも一方を互いに異ならせるようにすればよい。
【００５７】
また、上記実施形態では、表面及び裏面模様３，４は、複数の分割模様３ａ〜３ｃ，４ａ〜４ｃに分割され、それら分割模様３ａ〜３ｃ，４ａ〜４ｃを２種類の基本模様Ａ１，Ａ２で構成しているが、３種類以上の基本模様で構成してもよい。或いは逆に、分割模様３ａ〜３ｃ，４ａ〜４ｃに分割せずに、表面及び裏面模様３，４の各々の全体をそれぞれ１種類の多角形模様部１０，１０，…で形成してもよい。
【００５８】
また、上記実施形態では、基材１を表裏方向から見たときに、表面及び裏面模様３，４の多角形模様部１０，１０間で周縁の各辺１０ａ，１０ａ同士が全体として直線状に重ならないように配置しているが、この配置は必須ではない。しかし、基材１を表裏方向から見たときに、反対側の辺１０ａ，１０ａ，…で囲まれた多角形模様部１０が明確に視認できて、パネルＰの奥行き感や立体感がさらに効果的に得られる点では上記の配置が好ましい。
【００５９】
また、上記実施形態では、建築用意匠パネルＰはドアＤ１〜Ｄ５の採光開口部１５に取り付けられているが、建築物の他の開口部に取り付けられるようにしてもよいのは勿論である。
【産業上の利用可能性】
【００６０】
本発明は、建築用意匠パネルの表裏面模様の多角形模様部に特異部分がなく、パネルを小割りして使用する場合でも、レイアウトやデザインの設計、施工の容易化を図ることができるので、極めて有用で産業上の利用可能性が高い。
【符号の説明】
【００６１】
Ｐ  建築用意匠パネル
Ｐ１〜Ｐ５  小割りパネル
Ｄ１〜Ｄ５  ドア
１  基材
３  表面模様
３ａ〜３ｃ  分割模様
４  裏面模様
４ａ〜４ｃ  分割模様
Ａ１，Ａ２  基本模様
１０  多角形模様部
１０ａ  辺
Ｌ  長軸線
１５  採光開口部
【図１】
2020200687.tif 000003
【図２】
2020200687.tif 000004
【図３】
2020200687.tif 000005
【図４】
2020200687.tif 000006
【図５】
2020200687.tif 000007
【図６】
2020200687.tif 000008
【図７】
2020200687.tif 000009
【図８】
2020200687.tif 000010
【図９】
2020200687.tif 000011
【図１０】
2020200687.tif 000012
【図１１】
2020200687.tif 000013
【図１２】
2020200687.tif 000014
【図１３】
2020200687.tif 000015